(57)【要約】【課題】コンテンツ中の使用したい部分の範囲を探しやすくして、編集作業を効率化できる編集装置を提供する。【解決手段】この編集装置は、採取開始から終了まで常時採取動作を行って採取した時間軸を有するコンテンツと、該採取動作中に、マーク記録操作が行われた時間位置を記録した当該コンテンツのメタ情報とを取得する。この取得したコンテンツを一覧表示する際に、当該一覧表示中の時間軸を持つコンテンツには、範囲調整用のアイコンを付加して表示する。このアイコンが実行されたときには、マーク記録操作の行われた時間位置のフレームを中心に、予め定めた時間幅で開始点と終了点を提示して、当該開始点と終了点をそれぞれ調整可能にした。【選択図】図７
2006053977.tif 000002
【特許請求の範囲】
【請求項１】
採取開始から終了まで常時採取動作を行って、時間軸を有するコンテンツとして採取するコンテンツ採取手段と、前記採取動作中に、マーク記録操作が行われた時間位置を記録するマーク記録手段とを備えることを特徴とする記録装置。
【請求項２】
請求項１に記載の記録装置において、前記時間軸を有するコンテンツは、動画像あるいは音や音声であることを特徴とする記録装置。
【請求項３】
請求項１または２に記載の記録装置において、前記マーク記録手段は、マーク記録操作が行われた時間位置をコンテンツのメタ情報として記録するようにしたことを特徴とする記録装置。
【請求項４】
請求項１乃至３のいずれかに記載の記録装置において、前記マーク記録操作は、記録装置本体からの入力、または無線方式で信号を送信するリモコンから当該記録装置本体への該信号の入力であることを特徴とする記録装置。
【請求項５】
請求項１乃至４のいずれかに記載の記録装置において、初めてマーカ記録操作が行われたときには、当該操作が行われた時間位置から所定の時間分だけ採取したコンテンツを残して、それ以前のデータを破棄することを特徴とする記録装置。
【請求項６】
採取開始から終了まで常時採取動作を行って、時間軸を有するコンテンツとして採取するとともに、前記採取動作中に、マーク記録操作が行われた時間位置を当該コンテンツのメタ情報として記録することを特徴とする記録方法。
【請求項７】
採取開始から終了まで常時採取動作を行って採取した時間軸を有するコンテンツと、該採取動作中に、マーク記録操作が行われた時間位置を記録した当該コンテンツのメタ情報とを取得し、取得したコンテンツのリストを作成するコンテンツリスト作成手段と、前記コンテンツリストを一覧表示する際に、当該一覧表示中の時間軸を持つコンテンツには、範囲調整用のアイコンを付加して表示する編集操作手段とを備えることを特徴とする編集装置。
【請求項８】
請求項７に記載の編集装置において、前記アイコンが起動されたときには、マーク記録操作の行われた時間位置のフレームを中心に、予め定めた時間幅で開始点と終了点を提示し、当該開始点と終了点をそれぞれ調整可能にする範囲調整手段を備えることを特徴とする編集装置。
【請求項９】
請求項８に記載の編集装置において、調整した前記開始点および終了点が所望のものであるかを確かめるために、当該範囲のコンテンツを再生する再生手段を備えることを特徴とする編集装置。
【請求項１０】
請求項７乃至９のいずれかに記載の編集装置において、調整された範囲のコンテンツを張り付けるときには、当該コンテンツ全体と該調整された範囲とを張り付けるようにしたことを特徴とする編集装置。
【請求項１１】
請求項１０に記載の編集装置において、前記張り付けられたコンテンツを起動したときに、前記範囲調整手段により開始点と終了点を再調整できるようにしたことを特徴とする編集装置。
【請求項１２】
採取開始から終了まで常時採取動作を行って採取した時間軸を有するコンテンツと、該採取動作中に、マーク記録操作が行われた時間位置を記録した当該コンテンツのメタ情報とを取得し、取得したコンテンツを一覧表示する際に、当該一覧表示中の時間軸を持つコンテンツには、範囲調整用のアイコンを付加して表示することを特徴とする編集方法。
【請求項１３】
張り付けられた、時間軸を有するコンテンツと、該コンテンツ中のマーク記録操作が行われた時間位置を基に再生する範囲を記録したメタ情報を取得するコンテンツ取得手段と、前記張り付けられたコンテンツとメタ情報の範囲に基づいて、該範囲内のコンテンツを再生する再生制御手段とを備え、前記再生制御手段は、特定のキー操作が行われた場合、再生中のコンテンツの再生を終了し、次のコンテンツの最初から再生するようにしたことを特徴とする再生装置。
【請求項１４】
張り付けられた、時間軸を有するコンテンツと、該コンテンツ中のマーク記録操作が行われた時間位置を基に再生する範囲を記録したメタ情報を取得し、特定のキー操作が行われた場合、再生中のコンテンツの再生を終了し、前記張り付けられたコンテンツとメタ情報に基づいて、次のコンテンツの最初から再生するようにしたことを特徴とする再生方法。
【請求項１５】
コンピュータに、請求項１乃至５のいずれかに記載の記録装置の機能、または、請求項７乃至１１のいずれかに記載の編集装置の機能、または、請求項１３に記載の再生装置の機能を実行するプログラム。
【請求項１６】
請求項１５に記載のプログラムを記録したコンピュータ読み取り可能な記録媒体。
【発明の詳細な説明】
【技術分野】
【０００１】
本発明は、記録装置、記録方法、編集装置、編集方法、再生装置、再生方法、並びにプログラムおよび記録媒体に関し、具体的には、マルチメディアコンテンツの記録・編集・再生技術に関する。
【背景技術】
【０００２】
従来、記録媒体に記録された映像データを編集する際には、編集装置の操作パネルを使用して、映像データを再生して確認する動作を何回も繰り返し、編集点（編集開始点及び編集終了点）を探し、この編集点で表される映像を録画用記録装置にコピーする方法によりカット映像を取り出す作業を行っていた。
このような編集装置を用いることで、カット映像の編集作業に不慣れな者であっても映像データの編集作業が容易に行えるようにしているが、この作業が特に重要であるにもかかわらず、大変難しいものであり、また煩わしいものであったので、使いやすさの点において問題があった。
【０００３】
このような編集点を編集装置に入力する方法として、映像信号に大きな変化のある点に基づいて映像を区切り、自動的に新たな編集点として入力する方法があり、カットする映像の記録を容易にできるようにした。
この変化点を用いた場合には、変化点が頻繁に発生するとカットする映像が小さくなりすぎて、結局編集作業が難しくなってしまうという問題がある。
【０００４】
また、特許文献１の技術では、取材現場で、取材者自身がカメラ一体型ＶＴＲを用いて映像素材を撮影しながら、所定のボタンを押すことにより、記録時に良好なシーンを特定するためのマークをビデオテープに記録している。
このビデオテープを編集するときには、ビデオテープを再生しながらマークを検索し、このマークが付与されたフレームにキューアップし、編集オペレータが、キューアップしたフレームの前後の映像を見て、任意の編集開始点および編集終了点を決定する。この操作を各マークに対して行うことによって、従来の編集装置に比較して、非常に簡便な方法で粗編集をすることができる。
【０００５】
また、特許文献２の技術では、特許文献１のマークのタイムコードをビデオカセットに貼着されたファイルラベルのメモリチップに記録する。編集時には、このメモリチップに記憶されたマークのタイムコードのリストを編集装置へ転送する。
編集装置では、このリストのタイムコードに対応する静止画を取得して、リストとともに表示し、編集オペレータはこの静止画に対応する映像を表示させながら編集開始点と編集終了点を決定するようにしている。これにより、マークを利用して、良好なシーンが特定しやすくなり、編集作業が効率的に行える。
【０００６】
一方、視聴者が映像中の見たい場面を探そうとするときには、ビデオの再生時に視聴者が自分で早送り、早巻戻しの操作を繰返し行っていたため、見たい場面を探すのに時間がかかるという問題が生じていた。例えば、野球の試合のビデオ映像を再生するときに、視聴者がホームランの場面だけを見ようとすると、早送り等して視聴者が見たい場面を探すことが必要であった。このような操作は視聴者にとって面倒なものであり、時間の浪費となる。さらに、早送り・巻戻しの操作によって見たい場面を探すのでは、重要な場面を見逃してしまうという問題もあった。
【０００７】
これに対して、特許文献３の技術では、ビデオ映像の時間軸に対応するタイムバーを画面上に表示する。また、タイムバー上には、映像中の特徴的な場面であるイベント場面の開始位置を示すアイコンを表示する。視聴者がリモコンを操作して、所望のアイコンを選択することによって、選択されたアイコンに対応するイベント場面の開始位置から映像の再生を開始するようにした。これにより、視聴者が見たい場面へ簡単且つ正確にジャンプし再生することができる。
【特許文献１】特許第３５２８１８３号公報
【特許文献２】特開２００１−２９２４０６号公報
【特許文献３】特開２００１−２９２４０２号公報
【発明の開示】
【発明が解決しようとする課題】
【０００８】
しかしながら、特許文献１や特許文献２の技術では、ビデオテープを作成する時点で、良好なシーンにマーク付けできるので、このシーンを探すことは効率よく行うことができるが、この良好なシーンの見たい範囲を探すのは相変わらず、ビデオテープに記録された良好なシーンの前後を見て、試行錯誤して決定することには変わりなく、使いやすさの点において問題が残っている。
【０００９】
また、プレゼンテーション行うときには、動画だけでなく静止画やテキストからなるドキュメントを表示しながら行うことが多く、しかもドキュメントと動画とは別に作成している。しかし、特許文献３の技術では、動画中の所望のシーンを効率的に見つけてそこから再生することを目的としているため、プレゼンテーションを短縮するような場合には、ドキュメントと動画との対応付けが分からなくなり、正常にプレゼンテーションを行えなくなる可能性がある。
【００１０】
本発明は、上述の実情を考慮してなされたものであって、コンテンツ中の使用したい部分を探しやすく記録する記録装置、記録方法並びにプログラムおよび記録媒体を提供することを目的とする。
また、コンテンツ中の使用したい部分の範囲を探しやすくして、編集作業を効率化できる編集装置、編集方法並びにプログラムおよび記録媒体を提供することを目的とする。
さらに、コンテンツ中の重要な部分を見せながら適度な時間に収まるように、再生時に編集できる再生装置、再生方法並びにプログラムおよび記録媒体を提供することを目的とする。
【課題を解決するための手段】
【００１１】
上記の課題を達成するために、請求項１に記載の発明は、採取開始から終了まで常時採取動作を行って、時間軸を有するコンテンツとして採取するコンテンツ採取手段と、前記採取動作中に、マーク記録操作が行われた時間位置を記録するマーク記録手段とを備えることを特徴とする。
【００１２】
請求項２に記載の発明は、請求項１に記載の記録装置において、前記時間軸を有するコンテンツは、動画像あるいは音や音声であることを特徴とする。
請求項３に記載の発明は、請求項１または２に記載の記録装置において、前記マーク記録手段は、マーク記録操作が行われた時間位置をコンテンツのメタ情報として記録するようにしたことを特徴とする。
請求項４に記載の発明は、請求項１乃至３のいずれかに記載の記録装置において、前記マーク記録操作は、記録装置本体からの入力、または無線方式で信号を送信するリモコンから当該記録装置本体への該信号の入力であることを特徴とする。
【００１３】
請求項５に記載の発明は、請求項１乃至４のいずれかに記載の記録装置において、初めてマーカ記録操作が行われたときには、当該操作が行われた時間位置から所定の時間分だけ採取したコンテンツを残して、それ以前のデータを破棄することを特徴とする。
【００１４】
請求項６に記載の発明は、採取開始から終了まで常時採取動作を行って、時間軸を有するコンテンツとして採取するとともに、前記採取動作中に、マーク記録操作が行われた時間位置を当該コンテンツのメタ情報として記録することを特徴とする。
【００１５】
請求項７に記載の発明は、採取開始から終了まで常時採取動作を行って採取した時間軸を有するコンテンツと、該採取動作中に、マーク記録操作が行われた時間位置を記録した当該コンテンツのメタ情報とを取得し、取得したコンテンツのリストを作成するコンテンツリスト作成手段と、前記コンテンツリストを一覧表示する際に、当該一覧表示中の時間軸を持つコンテンツには、範囲調整用のアイコンを付加して表示する編集操作手段とを備えることを特徴とする。
【００１６】
請求項８に記載の発明は、請求項７に記載の編集装置において、前記アイコンが起動されたときには、マーク記録操作の行われた時間位置のフレームを中心に、予め定めた時間幅で開始点と終了点を提示し、当該開始点と終了点をそれぞれ調整可能にする範囲調整手段を備えることを特徴とする。
請求項９に記載の発明は、請求項８に記載の編集装置において、調整した前記開始点および終了点が所望のものであるかを確かめるために、当該範囲のコンテンツを再生する再生手段を備えることを特徴とする。
【００１７】
請求項１０に記載の発明は、請求項７乃至９のいずれかに記載の編集装置において、調整された範囲のコンテンツを張り付けるときには、当該コンテンツ全体と該調整された範囲とを張り付けるようにしたことを特徴とする。
請求項１１に記載の発明は、請求項１０に記載の編集装置において、前記張り付けられたコンテンツを起動したときに、前記範囲調整手段により開始点と終了点を再調整できるようにしたことを特徴とする。
【００１８】
請求項１２に記載の発明は、採取開始から終了まで常時採取動作を行って採取した時間軸を有するコンテンツと、該採取動作中に、マーク記録操作が行われた時間位置を記録した当該コンテンツのメタ情報とを取得し、取得したコンテンツを一覧表示する際に、当該一覧表示中の時間軸を持つコンテンツには、範囲調整用のアイコンを付加して表示することを特徴とする。
【００１９】
請求項１３に記載の発明は、張り付けられた、時間軸を有するコンテンツと、該コンテンツ中のマーク記録操作が行われた時間位置を基に再生する範囲を記録したメタ情報を取得するコンテンツ取得手段と、前記張り付けられたコンテンツとメタ情報の範囲に基づいて、該範囲内のコンテンツを再生する再生制御手段とを備え、前記再生制御手段は、特定のキー操作が行われた場合、再生中のコンテンツの再生を終了し、次のコンテンツの最初から再生するようにしたことを特徴とする。
【００２０】
請求項１４に記載の発明は、張り付けられた、時間軸を有するコンテンツと、該コンテンツ中のマーク記録操作が行われた時間位置を基に再生する範囲を記録したメタ情報を取得し、特定のキー操作が行われた場合、再生中のコンテンツの再生を終了し、前記張り付けられたコンテンツとメタ情報に基づいて、次のコンテンツの最初から再生するようにしたことを特徴とする。
【００２１】
請求項１５に記載の発明は、コンピュータに、請求項１乃至５のいずれかに記載の記録装置の機能、または、請求項７乃至１１のいずれかに記載の編集装置の機能、または、請求項１３に記載の再生装置の機能を実行するプログラムである。
請求項１６に記載の発明は、請求項１５に記載のプログラムを記録したコンピュータ読み取り可能な記録媒体である。
【発明の効果】
【００２２】
本発明によれば、見たい場面、見せたい場面または聴かせたい音や音声を採取中にキーフレームとして指定しておき、編集のときにはキーフレームを中心とした範囲として表示し、この表示された範囲を調整することにより、動画像編集に不慣れなユーザでの編集作業が容易になる。
【００２３】
また、上記の編集情報を採取したデータとは別に保持することで、後で編集内容を変更することができる。
キーフレームを中心としたコンテンツを複数連続再生する際に、各コンテンツの開始点を保持しておき、前に再生しているコンテンツの任意の場所から次のコンテンツの開始点にジャンプできるようにしたため、再生しながら早送りをしたり、途中を飛ばして再生させたとき、どの部分から再生を始めたらよいのかを判断することがなくなり、重要な部分を見落としてしまう可能性もなくなる。
この操作を使用すると、コンテンツ中の重要な部分を見せながら、適度な時間に収まるように、再生時に編集できる。
【発明を実施するための最良の形態】
【００２４】
以下、図面を参照して本発明の好適な実施形態について説明する。
図１は、本実施形態を構成するブロック図であり、記録装置１０と編集装置２０とからなっている。
この記録装置１０は、動画や静止画の撮影、音や音声を録音できる装置のいずれかまたは統合した機能をもつ装置であり、例えば、動画や静止画を撮影できるデジタルカメラやデジタルビデオカメラ、ネットワーク（Ｗｅｂ）カメラ、さらには、音や音声を録音できる録音機やマイクロフォンのいずれかである。
編集装置２０は、記録装置１０で記録されたデータを編集する装置であり、例えば、コンピュータである。
以下、本実施形態では、記録装置１０として、動画、静止画の撮影と音や音声を録音できるモードを備えたデジタルカメラを用い、編集装置２０としてコンピュータを用いて説明するが、他の記録装置や編集装置であっても同様に適用することができる。
【００２５】
記録装置１０で記録したデータを編集装置２０で編集する場合には、動画／静止画／音／音声のディジタルデータを一旦記録装置１０の備えるメモリに記録し、記録装置１０と編集装置２０とを有線、赤外線や無線にて接続して、メモリに記憶された記録データを編集装置２０へ転送して編集することができる。また、例えば、ネットワークカメラのような記録装置１０で撮影された映像または採取された音をネットワーク等で直接編集装置２０へ転送し、編集装置２０に備えるメモリへ記憶させて、編集するようにしてもよい。
【００２６】
図２は、デジタルカメラの構成を示すブロック図である。デジタルカメラ１０は、デジタルカメラの画像撮影のためのレンズ、受光素子などからなる撮影手段１１、撮影者がデジタルカメラに対して操作を行うためのシャッタボタン、ダイアルなどからなる入力手段１２、撮影手段１１から受け取った画像や映像データを記録媒体１５へ記録する映像データ記録手段１３、撮影中に撮影者が行うマーカ記録操作の結果を記録媒体１５に記録するマーカ記録手段１４とからなる。この記録媒体１５は、デジタルカメラ１０に内蔵、またはデジタルカメラに接続して利用するメモリカードである。
また、マーカ記録操作は、撮影中にプレゼンテーション等で使用したい重要な場面を特定するための目印となるキーフレームのタイムスタンプをメタ情報データとして記録する操作のことである。
【００２７】
（Ａ）マーカ記録操作
このマーカ記録操作は、次の２種類の方法によって記録される。
図３のフローチャートを用いて、第１の場合のマーカ記録操作の動作を説明する。
【００２８】
まず、記録装置１０を動画撮影モードに設定する（ステップＳ１）。
次いで、シャッタボタンなどの撮影開始ボタンを押すことで、撮影手段１１により被写体の撮影を開始し、撮影した映像を映像データ記録手段１３によって記録媒体１５に記録する（ステップＳ２）。
【００２９】
撮影中に、撮影者は重要な場面だと思った時点でマーカ記録操作を行うと、マーカ記録手段１４によって、そのマーカ記録操作を行ったときのタイムスタンプをメタ情報データとして記録媒体１５へ記録する（ステップＳ３）。
このマーカ記録操作は、記録装置１０の入力手段１２のうちファンクションボタンなどのデジタルカメラに付随するボタンに割り当てられたマーカ記録ボタンを押すことによって実行される。また、マーカ記録操作は、必ずしも記録装置１０に備えられたマーカ記録ボタンを操作する必要はなく、１以上のリモコンなどにより離れた場所からマーカ記録操作を行うことも可能である。このリモコンには、マーク信号を記録装置１０に送信する送信手段とインタフェースを有している。
【００３０】
撮影者は必要なだけマーカ記録ボタンを押してマーカデータを記録し、撮影終了ボタンが押されるかまたは動画撮影モードを終了するまで、撮影およびマーカ記録操作が行われる（ステップＳ２，Ｓ３，Ｓ４のＮＯ）。
撮影が終了すると（ステップＳ４のＹＥＳ）、映像データ記録手段１３による映像の記録が終了する。
【００３１】
図４は、上記の第１の方法によって撮影された映像を記憶した記録媒体１５の内容を模式化したものである。記録媒体１５には、複数の映像１乃至映像ｎが記憶されており、各映像は撮影開始ボタンが押されて撮影終了ボタンが押されるまでに記録されたものである。
また、各映像には、マーカ記録ボタンが押されるたびにマーカデータＭ１，Ｍ２，・・・Ｍｍが記憶される。このように１回の撮影で何もマーカ記録操作が行われない場合や複数回のマーカ記録操作が行われることもある。
【００３２】
次に、図５のフローチャートを用いて第２の場合のマーカ記録操作の動作を説明する。
【００３３】
まず、記録装置１０を動画撮影モードに設定する（ステップＳ１１）。
記録装置１０は動画撮影モードに設定されると、撮影手段１１により被写体の撮影を開始し、撮影した映像を映像データ記録手段１３によって記録媒体１５に記録していく（ステップＳ１２）。撮影者がマーカ記録操作を行わずに、映像の記録が続けられ記録媒体１５の容量がいっぱいになると、最近の所定時間（適宜変更可能である）以降の映像記録だけを残し、古いものから順に削除して順次新しい映像を記録していく。
【００３４】
撮影中に、撮影者は重要な場面だと思った時点でマーカ記録操作を行うと、マーカ記録手段１４によって、そのマーカ記録操作を行ったときのタイムスタンプをメタ情報データとして記録媒体１５へ記録する（ステップＳ１３）。ここで、映像記録開始後、最初のマーカ記録ボタンが押された時点では、所定の時間（適宜変更可能である）以前の映像データは削除され、それ以降の映像が残される。
【００３５】
このマーカ記録操作は、記録装置１０の入力手段１２のうちシャッタボタンやファンクションボタンなどのデジタルカメラに付随するボタンに割り当てられたマーカ記録ボタンを押すことによって実行される。また、マーカ記録操作は、第１の場合と同様に、１以上のリモコンなどにより離れた場所からマーカ記録操作を行うことも可能である。
【００３６】
撮影者は必要なだけマーカ記録ボタンを押してマーカデータを記録し、撮影終了ボタンが押されるかまたは動画撮影モードが終了されるか、または記録媒体１５の容量がいっぱいになるまで、撮影およびマーカ記録操作が行われる（ステップＳ１２，Ｓ１３，Ｓ１４のＮＯ）。
撮影が終了すると（ステップＳ１４のＹＥＳ）、映像データ記録手段１３による映像の記録が終了する。
【００３７】
図６は、上記の第２の方法によって撮影された映像を記憶した記録媒体１５の内容を模式化したものである。記録媒体１５には、映像撮影モード中に記録された映像が記録され、マーカ記録ボタンが押されるたびにマーカデータＭ１，Ｍ２，・・・Ｍｍが記憶されている。
【００３８】
次に、上述のいずれかの方法で記録されたマーカデータを基に、重要な場面の範囲を特定する編集について説明する。
【００３９】
（Ｂ）記録データの編集
まず、編集対象となる動画／静止画／音／音声のディジタルデータおよびマーカデータを編集装置２０へ取り込まなければならない。
この編集対象となるデータは、記録装置１０の記録媒体１５に記録されたデータや既に編集装置２０へ格納されているデータが対象となる。
前述したように、記録装置１０に記録されたものに対しては、記録装置１０と編集装置２０とを有線、赤外線や無線にて接続して、編集装置２０へ転送する。また、ネットワークカメラのような記録装置１０では、撮影した映像または採取された音・音声やマーカデータはすでに編集装置２０へ直接転送されている。
【００４０】
次に、本実施形態に係る編集装置２０へ編集対象となるデータとマーカデータが転送を完了した後の動作について説明する。
図７は、本実施形態に係る編集装置２０の機能構成を示すブロック図であり、同図において編集装置２０は、コンテンツファイル群７１、データリスト作成手段７２、データリスト記憶手段７３、編集操作手段７４、範囲調整手段７５、データ再生手段７６を含んでなっている。
【００４１】
編集装置２０が起動されると、データリスト作成手段７２を動作させる。
コンテンツファイル群７１には、先に取り込まれたディジタルデータ（動画、静止画、音、音声等）およびマーカデータ（動画や音・音声に重要な場面として印が付けられたマーカ）をそれぞれ１つずつのファイルとして記憶されている。
【００４２】
データリスト作成手段７２は、コンテンツファイル群７１の各ファイルを読み込んで、ファイルの種類を判別し、動画や音・音声の場合には、メタ情報データとして書かれているマーカデータを読み込んでデータリストを作成し、データリスト記憶手段７３へ書き込む。
このデータリスト記憶手段７３は、１つのディジタルデータに対して次のようなデータを記録している（図８参照）。
【００４３】
・ファイルの場所：コンテンツデータを保持するファイル名あるいはファイルのある場所。
・種類：このファイルのデータの種類（例えば、動画、静止画、音・音声の区別）。
・キーフレーム情報：データの種類が動画あるいは音・音声の場合には、重要な場面としてマーカを付けた時点でのフレーム（キーフレームという）のタイムスタンプ。データの種類が静止画の場合には、このデータの作成された日。
・開始点：キーフレームからの距離（時：分：秒：フレームで表す）。
・終了点：キーフレームからの距離（時：分：秒：フレームで表す）。
【００４４】
データリストが作成されると、編集操作手段７４が起動され、まず図９に示すようなデータ一覧が表示される。図９に示したデータ一覧画面８０は、データ一覧表示領域８１、範囲調整領域８２、再生表示領域８３とからなっている。
データ一覧表示領域８１は、図１０に示したように、データが静止画の場合には画像そのもののサムネイル、データが動画の場合には重要な場面であるとマーカが付けられたキーフレームが表す画像のサムネイル、また、データが音・音声の場合には適宜割り当てられているサムネイルによる一覧が表示される。各サムネイルの下には、データの種類８４とファイル名８５と作成日８６（あるいは、キーフレームのタイムスタンプ）が表示される。また、データの種類が動画あるいは音・音声の場合には、範囲調整を行わせるためのアイコン８７（または文字列）が表示される。
この図１０の例では、３つの静止画のデータ、５つの動画のデータ、１つの音・音声のデータによるデータリストが表示されている。
【００４５】
データが動画あるいは音・音声の場合には、アイコン８７をクリックすると、範囲調整手段７５が起動され、範囲調整領域８２に図１１に示すような指示画面が表示される。
図１１において、半円の左端９４は一つのデータの収録開始位置を示し、右端９８は収録終了位置を示している。この半円には、キーフレームのタイムスタンプ位置を黒三角９６で示し、また、キーフレームを含む重要な場面の開始点と終了点をそれぞれ開始点９５と終了点９７とで示している。
【００４６】
また、フィールド９１は開始点９５のキーフレーム位置９６からの距離（分：秒：フレームで表す）を示し、フィールド９２は終了点９７のキーフレーム位置９６からの距離（分：秒：フレームで表す）を示している。これらの距離は、初期値としてキーフレームより−ｍ秒が開始点、キーフレームより＋ｎ秒が終了点として表示される（図１２参照）。この初期値のＭやＮは適宜変更可能で、例えば、ｍ＝ｎ＝５程度に設定される。
また、ダイアル９０を回転することによって、重要な場面の開始点９５を調整することができる。ダイアル９３を回転することによって、重要な場面の終了点９７を調整することができる。
この範囲の調整は、フィールド９１および９２へ直接距離を入力することによっても行える。
ダイアルによる調整やフィールドへの数値入力による範囲が調整されると、開始点９５および終了点９７も連動して変更され、キーフレーム位置の前後の範囲が直感的に理解できる。
【００４７】
さらに、この調整中に設定した範囲が正しいかを確かめるために、再生ボタン９９を押すと、データ再生手段７６が起動され、再生表示領域８３に再生されたデータの内容が表示される。データが動画であるときには、動画像が表示され、あるいは音・音声の場合には、音・音声が再生されるとともに再生状況が表示される。
【００４８】
上記のような、編集者によって指定された範囲が、もともと取得された全体データの範囲を超える場合、データの開始点または終了点が範囲の開始点または終了点として設定される。例えば、キーフレーム位置が映像撮影開始後１０秒の時点にあった場合、このキーフレームを基準として開始点を−１５秒に設定しても、開始点は−１０秒として設定される。
【００４９】
最後に、編集操作手段７４は、この範囲調整で設定された重要な場面の開始点および終了点を、当該キーフレームの開始点と終了点として保存する。
【００５０】
なお、範囲指定に用いる表示は上述のようなダイアルではなく、スライダなど範囲設定の容易なものを適用することができる。
【００５１】
さらに、データ一覧表示領域８１に表示されたディジタルデータをコピー＆ペーストすることで、該当するディジタルデータをワープロソフトやプレゼンテーション作成ソフトやアルバム作成ソフトに張り付けることができる。この際、張り付けられるのは、全体的なディジタルデータおよびメタ情報データ（データリスト記憶手段７３に記憶されている。）となる。
例えば、図１３に示したように、映像データ１００に対して、キーフレームＫｅｙ１の範囲を（−１から＋１）とし、キーフレームＫｅｙ２の範囲を（−２から＋１）とした場合、ＰＰＴのスライド１０１に張り付けられる映像１０２は、映像データ１００とメタ情報データ（Ｋｅｙ１のタイムスタンプ、Ｋｅｙ１からの開始点および終了点の距離）である。また、ＰＰＴのスライド１０３に張り付けられる映像１０４は、映像データ１００とメタ情報データ（Ｋｅｙ２のタイムスタンプ、Ｋｅｙ２からの開始点および終了点の距離）である。
さらに、ワープロソフトやプレゼンテーション作成ソフトやアルバム作成ソフトに張り付け後、張り付けたデータを起動することで、範囲調整画面が表示され、範囲を再調整することができる。
【００５２】
（Ｃ）張り付けられたコンテンツの再生
次に、ドキュメントやアルバム等に張り付けられたコンテンツを再生する再生装置について説明する。以下の説明では、プレゼンテーション用のドキュメントに張り付けられたコンテンツを例にして説明するが、他のドキュメントやアルバムであっても同様に扱うことができる。
図１４は、上述のようにして作成されたプレゼンテーション用のドキュメント、例えば、複数枚のスライドを用いてプレゼンテーションを実行するときの再生装置の構成を示すブロック図である。
【００５３】
プレゼンテーション実行中に、１つ以上の映像あるいは音・音声が張り付けられたスライドが表示されたときには、発表者がそのまま何も操作を行わない場合は、再生手段を起動して張り付けられた映像あるいは音・音声が連続して順番に再生される。このとき映像あるいは音・音声データにキーフレームが含まれている場合には、このキーフレームのメタ情報データ（キーフレームのタイムスタンプ、開始点および終了点）から特定される範囲の映像あるいは音・音声を抜き出して再生する。
１つのスライドが終了して、マウスのクリックあるいはキーボードの打鍵によって「次へ」の操作を行うと、次のスライドが起動されて、張り付けられた最初の映像あるいは音・音声の再生が始まる。このようにスライドを次々と起動させることによってプレゼンテーションが実行される。
【００５４】
また、図１５に示すような映像データに、それぞれキーフレームを含む３つの映像クリップがある場合、これらの３つの映像クリップを再生中に、発表者が「次へ」の操作を行うと、次の映像クリップの始点にジャンプして再生を続行する。
例えば、６フレームからなる映像クリップ１を再生中に５フレーム目で「次へ」の操作を行うと、映像クリップ１の５および６のフレームをスキップして、次の映像クリップ２の先頭フレームから再生を始める。
したがって、映像を長く見せたいときには「次へ」の操作を行わず、映像を短く見せたいときには「次へ」の操作を頻繁に行えば、プレゼンテーション時に映像の長さを調整することができる。
【００５５】
さらに、本発明は上述した実施形態のみに限定されたものではない。上述した実施形態の記録装置、編集装置、再生装置を構成する各機能をそれぞれプログラム化し、あらかじめＣＤ−ＲＯＭ等の記録媒体に書き込んでおき、このＣＤ−ＲＯＭをＣＤ−ＲＯＭドライブのような媒体駆動装置を搭載したコンピュータに装着して、このプログラムをコンピュータのメモリあるいは記憶装置に格納して、実行することによって、本発明の目的を達成することができる。
【００５６】
なお、記録媒体としては半導体媒体（例えば、ＲＯＭ、不揮発性メモリカード等）、光媒体（例えば、ＤＶＤ、ＭＯ、ＭＤ、ＣＤ−Ｒ等）、磁気媒体（例えば、磁気テープ、フレキシブルディスク等）のいずれであってもよい。
【００５７】
また、ロードしたプログラムの指示に基づき、オペレーティングシステムやアプリケーションプログラム等が実際の処理の一部または全部を行い、その処理によって上述した実施形態の機能が実現される場合も含まれる。
【００５８】
また、上述したプログラムをサーバコンピュータの磁気ディスク等の記憶装置に格納しておき、ネットワークで接続された利用者のコンピュータからダウンロードして頒布する場合、また、サーバコンピュータから配信して頒布する場合、このサーバコンピュータの記憶装置も本発明の記録媒体に含まれる。
このように、本発明の機能をプログラムして、記録媒体に記録し頒布することによって、コスト、可搬性、汎用性を向上させることができる。
【図面の簡単な説明】
【００５９】
【図１】実施形態に係る編集システムを構成するブロック図である。
【図２】デジタルカメラの構成を示すブロック図である。
【図３】第１の場合のマーカ記録操作の動作を説明するフローチャートである。
【図４】第１の方法によって撮影された映像を記憶した記録媒体１５の内容を模式化したものである。
【図５】第２の場合のマーカ記録操作の動作を説明するフローチャートである。
【図６】第２の方法によって撮影された映像を記憶した記録媒体の内容を模式化したものである。
【図７】実施形態に係る編集装置の機能構成を示すブロック図である。
【図８】データリスト記憶手段のデータ構造の例である。
【図９】編集操作手段が表示するデータ一覧画面の例である。
【図１０】データ一覧画面におけるデータ一覧表示領域の表示例である。
【図１１】データ一覧画面における範囲調整領域の表示例である。
【図１２】範囲調整領域で調整した重要な場面の範囲と記録媒体上での位置関係を示す図である。
【図１３】プレゼンテーション作成ソフトに張り付けられた映像データとその重要な場面の範囲との関係を説明するための図である。
【図１４】プレゼンテーションを実行するときの再生装置の構成を示すブロック図である。
【図１５】プレゼンテーション実行中に、ジャンプによって映像再生の短縮化を説明するための図である。
【符号の説明】
【００６０】
１０…記録装置（デジタルカメラ）、１１…撮影手段、１２…入力手段、１３…映像データ記録手段、１４…マーカ記録手段、１５…記録媒体、２０…編集装置、７１…コンテンツファイル群、７２…データリスト作成手段、７３…データリスト記憶手段、７４…編集操作手段、７５…範囲調整手段、７６…データ再生手段、８０…データ一覧画面、８１…データ一覧表示領域、８２…範囲調整領域、８３…再生表示領域、８４…種類、８５…ファイル名、８６…作成日、８７…アイコン、９０…開始点ダイアル、９１…開始点フィールド、９２…終了点フィールド、９３…終了点ダイアル、９４…データ記録開始位置、９５…開始点、９６…キーフレーム位置、９７…終了点、９８…データ記録終了位置、９９…再生ボタン。
【図１】
2006053977.tif 000003
【図２】
2006053977.tif 000004
【図３】
2006053977.tif 000005
【図４】
2006053977.tif 000006
【図５】
2006053977.tif 000007
【図６】
2006053977.tif 000008
【図７】
2006053977.tif 000009
【図８】
2006053977.tif 000010
【図９】
2006053977.tif 000011
【図１０】
2006053977.tif 000012
【図１１】
2006053977.tif 000013
【図１２】
2006053977.tif 000014
【図１３】
2006053977.tif 000015
【図１４】
2006053977.tif 000016
【図１５】
2006053977.tif 000017